(57)【要約】【課題】キャビネット及びカバー体の寸法のバラツキ及び反りによりキャビネットが変形するのを防ぐことができ、キャビネットの内周縁部と表示面との間の隙間が広／狭になるのを防ぐことができる表示装置を提供する。【解決手段】前側に表示面１ａを有する表示部１の周縁部に被嵌され、枠形をなすキャビネット２と、該キャビネット２の後部に嵌入される嵌入部３１を有し、表示部１の後側を覆う深皿形をなすカバー体３とを備え、嵌入部３１の内面に接触して該嵌入部３１の前記表示部１に対する位置を決める位置決部材５２を表示部１に設けることにより、キャビネット２及びカバー体３の寸法のバラツキ及び反りによりキャビネット２が変形するのを防ぐようにした。【選択図】図３
2008139483.tif 000002
【特許請求の範囲】
【請求項１】
前側に表示面を有する表示部と、該表示部の周縁部に被嵌され、枠形をなすキャビネットと、該キャビネットの後部に嵌合される嵌合部を有し、前記表示部の後側を覆うカバー体とを備える表示装置において、前記表示部は、前記嵌合部の前記表示部に対する位置を決める位置決部材を有することを特徴とする表示装置。
【請求項２】
前記嵌合部は環状をなし、前記位置決部材は前記嵌合部の内面に接触する接触部を有する請求項１記載の表示装置。
【請求項３】
前記位置決部材は前記表示面に沿う方向の両側に配置してあり、一側の位置決部材は前記表示部に固定され、他側の位置決部材は前記表示面に沿う方向への移動を可能に取付けられている請求項１又は２記載の表示装置。
【請求項４】
前側に表示面を有する表示部と、該表示部の周縁部に被嵌され、枠形をなすキャビネットと、該キャビネットの後部に嵌入される嵌入部を有し、前記表示部の後側を覆うカバー体とを備え、前記キャビネットの内縁及び外縁間の中間部と、前記カバー体の前記中間部に対応する個所とを前記表示部に固定してある表示装置において、前記表示部は、前記嵌入部の内面に接触して該嵌入部の前記表示部に対する位置を決める位置決部材を有することを特徴とする表示装置。
【発明の詳細な説明】
【技術分野】
【０００１】
本発明は液晶表示装置、プラズマ表示装置、ＳＥＤディスプレイ、ＥＬディスプレイ等の表示装置に関する。
【背景技術】
【０００２】
テレビ等の表示装置は、画像を表示する表示面を前側に有する表示部と、該表示部の周縁部に被嵌して該周縁部を取り囲む枠形をなすキャビネットと、前記表示部の後側を覆うカバー体とを備え、キャビネット及びカバー体の周縁部がビスにより表示部の周縁部に取付けられている（例えば特許文献１参照）。
【０００３】
前記キャビネットは前記表示面と対向する環板部、及び該環板部の外周縁に連なり、前記表示部の周縁と対向する枠部を有し、合成樹脂により一体成形されており、カバー体は合成樹脂により深皿形に一体成形されている。
【０００４】
図５は本発明の出願人が開発した表示装置の一部の構成を示す断面図、図６は表示装着のキャビネットが変形している状態を示す断面図である。この表示装置は、表示部１００の表示面１００ａと対向する環板部１０１、及び該環板部１０１の外周縁に連なり、前記表示部１００の周縁と対向する枠部１０２を有する合成樹脂製のキャビネット１０３と、深皿形をなし、前記表示部１００の後側を覆う合成樹脂製のカバー体１０４とを備え、キャビネット１０３及びカバー体１０４が取付けられるブラケット１０５が表示部１００の周縁部に固定されている。
【０００５】
キャビネット１０３は、環板部１０１の内周縁及び外周縁の間の中間部に螺子孔１０６を有する複数のボス１０７が周方向に離隔して設けられ、枠部１０２の後端部内側に、嵌合溝１０８を有する複数のリブ１０９が周方向に離隔して設けられており、また、環板部１０１の内周縁に連なる環状の内向凸部１１０が設けられている。カバー体１０４の開放部には、前記嵌合溝１０８に嵌入される環状の嵌入部１１１、及び前記ブラケット１０５にビスにより取付けられるボスが設けられている。
【０００６】
そして、キャビネット１０３が表示部１００の周縁部に被嵌され、ボス１０７の螺子孔１０６に緊締されるビス１１２によりキャビネット１０３がブラケット１０５に取付けられ、カバー体１０４の嵌入部１１１がリブ１０９の嵌合溝１０８に嵌入され、該カバー体１０４のボスがビスによりブラケット１０５に取付けられる。
【特許文献１】特開２００４−１５１３０５号公報
【発明の開示】
【発明が解決しようとする課題】
【０００７】
ところが、図５，図６のように構成された表示装置が比較的大型である場合、合成樹脂により一体成形されているキャビネット１０３及びカバー体１０４に寸法のバラツキが生じ易くなり、また、深皿形をなすカバー体１０４の開放部に反りが発生し易くなるため、寸法のバラツキ及び反りによりカバー体１０４の開放部の寸法が設定寸法より小さくなっている際、カバー体１０４の嵌入部１１１は設定寸法となる方向（外方）へ撓みつつ嵌合溝１０８へ嵌入されることになる。この結果、嵌合溝１０８に嵌入された嵌入部１１１の内方への復元力Ｆ１が嵌合溝１０８からリブ１０９を経て枠部１０２及び環板部１０１に加わり、ボス１０７のブラケット１０５への固定部を支点とする図６時計方向への回転力Ｆ２がキャビネット１０３の全体に加わり、該キャビネット１０３の内向凸部１１０と表示面１００ａとの間の隙間ａが広くなり、キャビネット１０３の全周において前記隙間ａが広／狭となり、改善策が要望されていた。
【０００８】
本発明は斯かる事情に鑑みてなされたものであり、主たる目的はカバー体に設けられる嵌合部の表示部に対する位置を決める位置決部材を表示部に設けることにより、キャビネット及びカバー体の寸法のバラツキ及び反りによりキャビネットが変形するのを防ぐことができ、キャビネットの内周縁部と表示面との間の隙間が広／狭になるのを防ぐことができる表示装置を提供することにある。
【０００９】
また、他の目的は、嵌合部の内面に接触する接触部を位置決部材に設けることにより、嵌合部の内面を位置決部材に接触させつつ嵌合部をキャビネットの後部に嵌合することができ、カバー体の取付けを簡易に行うことができる表示装置を提供することにある。
【００１０】
また、他の目的は、位置決部材を表示面に沿う方向の両側に配置し、一側の位置決部材を表示部に固定し、他側の位置決部材を前記表示面に沿う方向への移動を可能に取付けることにより、キャビネット及びカバー体の寸法のバラツキ及び反りによりキャビネットの内周縁部と表示面との間の隙間が広／狭になるのを防ぐことができるとともに、嵌合部とキャビネットの後部との間の隙間を適正にすることができる表示装置を提供することにある。
【００１１】
また、他の目的は、カバー体に設けられる嵌入部の内面に接触して該嵌入部の前記表示部に対する位置を決める位置決部材を表示部に設けることにより、キャビネット及びカバー体の寸法のバラツキ及び反りによりキャビネットが変形するのを防ぐことができ、キャビネットの内周縁部と表示面との間の隙間が広／狭になるのを防ぐことができる表示装置を提供することにある。
【課題を解決するための手段】
【００１２】
本発明に係る表示装置は、前側に表示面を有する表示部と、該表示部の周縁部に被嵌され、枠形をなすキャビネットと、該キャビネットの後部に嵌合される嵌合部を有し、前記表示部の後側を覆うカバー体とを備える表示装置において、前記表示部は、前記嵌合部の前記表示部に対する位置を決める位置決部材を有することを特徴とする。
【００１３】
この発明にあっては、カバー体の嵌合部をキャビネットの後部に嵌合するとき、該嵌合部の表示部に対する位置を位置決部材により決めることができるため、キャビネット及びカバー体の寸法のバラツキ及び反りによりキャビネットが変形するのを防ぐことができ、キャビネットの内周縁部と表示面との間の隙間が広／狭になるのを防ぐことができる。
【００１４】
また、本発明に係る表示装置は、前記嵌合部は環状をなし、前記位置決部材は前記嵌合部の内面に接触する接触部を有することを特徴とする。
【００１５】
この発明にあっては、カバー体の嵌合部をキャビネットの後部に嵌合する際、キャビネット及びカバー体に寸法のバラツキ、反りがある場合でも、嵌合部の内面を位置決部材に接触させつつ嵌合部をキャビネットの後部に嵌合することができ、カバー体の取付けを簡易に行うことができる。
【００１６】
また、本発明に係る表示装置は、前記位置決部材は前記表示面に沿う方向の両側に配置してあり、一側の位置決部材は前記表示部に固定され、他側の位置決部材は前記表示面に沿う方向への移動を可能に取付けられていることを特徴とする。
【００１７】
この発明にあっては、カバー体の嵌合部をキャビネットの後部に嵌合するとき、該嵌合部の表示部に対する位置を一側の位置決部材により決めることができるため、キャビネット及びカバー体の寸法のバラツキ及び反りによりキャビネットの内周縁部と表示面との間の隙間が広／狭になるのを防ぐことができる。また、キャビネット及びカバー体の寸法のバラツキ及び反りに応じて他側の位置決部材を両側の位置決部材の方向へ移動させ、嵌合部の表示部に対する位置を他側の位置決部材により決めることができるため、キャビネット及びカバー体の寸法のバラツキ及び反りによりキャビネットの内周縁部と表示面との間の隙間が広／狭になるのを防ぐことができるとともに、嵌合部とキャビネットの後部との間の隙間を適正にすることができる。
【００１８】
また、本発明に係る表示装置は、前側に表示面を有する表示部と、該表示部の周縁部に被嵌され、枠形をなすキャビネットと、該キャビネットの後部に嵌入される嵌入部を有し、前記表示部の後側を覆うカバー体とを備え、前記キャビネットの内縁及び外縁間の中間部と、前記カバー体の前記中間部に対応する個所とを前記表示部に固定してある表示装置において、前記表示部は、前記嵌入部の内面に接触して該嵌入部の前記表示部に対する位置を決める位置決部材を有することを特徴とする。
【００１９】
この発明にあっては、カバー体の嵌合部をキャビネットの後部に嵌合するとき、該嵌合部の表示部に対する位置を位置決部材により決めることができるため、キャビネット及びカバー体の寸法のバラツキ及び反りによりキャビネットが変形するのを防ぐことができ、キャビネットの内周縁部と表示面との間の隙間が広／狭になるのを防ぐことができる。
【発明の効果】
【００２０】
以上詳述したように本発明によれば、キャビネット及びカバー体の寸法のバラツキ及び反りによりキャビネットが変形するのを防ぐことができ、キャビネットの内周縁部と表示面との間の隙間が広／狭になるのを防ぐことができる。
【００２１】
また、本発明によれば、キャビネット及びカバー体に寸法のバラツキ、反りがある場合でも、嵌合部の内面を位置決部材に接触させつつ嵌合部をキャビネットの後部に嵌合することができ、カバー体の取付けを簡易に行うことができる。
【００２２】
また、本発明によれば、キャビネット及びカバー体の寸法のバラツキ及び反りによりキャビネットの内周縁部と表示面との間の隙間が広／狭になるのを防ぐことができるとともに、嵌合部とキャビネットの後部との間の隙間を適正にすることができる。
【発明を実施するための最良の形態】
【００２３】
以下本発明をその実施の形態を示す図面に基づいて詳述する。図１は本発明に係る表示装置の構成を示す正面図、図２及び図３は要部の構成を示す縦断側面図、図４はキャビネットの構成を示す後面図である。
【００２４】
図示した表示装置はテレビ画像を表示する表示面１ａを前側に有し、略直方体をなす表示部１と、該表示部１の周縁部に被嵌して該周縁部を取り囲み、枠形をなすキャビネット２と、表示部１の後側を覆うカバー体３と、表示部１を起立状態で支持するスタンド４とを備える液晶テレビ、換言すれば液晶表示装置である。
【００２５】
表示部１は、前側に表示面１ａを有し略直方体をなすパネル１１と、該パネル１１の周縁部を前後で保持した略四角形をなす二つの保持枠体１２，１３と、パネル１１の後側に配置された拡散板等の複数の光学シート１４と、該光学シート１４の後側に配置され複数のランプ１５及び反射板１６を有するバックライト部１７とを備え、該バックライト部１７の後側に回路基板及び電源基板等の電気部品が取付けられている。
【００２６】
バックライト部１７は、箱形をなすシャーシ１７ａと、該シャーシ１７ａの内側に保持され、光学シート１４の周縁部を受止めるシート受体１７ｂとを備え、光学シート１４の周縁部を押付ける押付環１８をシート受体１７ｂに嵌合することにより光学シート１４をバックライト部１７に保持し、また、保持枠体１２，１３をシャーシ１７ａの周縁部に取付けることによりパネル１１をバックライト部１７に支持してある。シャーシ１７ａの後部には前後に貫通する複数の貫通孔を有する第１及び第２のブラケット５，６がビス等の雄螺子７により取付けられている。
【００２７】
第１及び第２のブラケット５，６は表示面１ａと平行的に取付けられる取付板部５１，６１と、該取付板部５１，６１に連なり、カバー体３の後記する嵌入部３１内面に接触して該嵌入部３１の表示部１に対する位置を決める位置決板部５２，６２とを有する略Ｌ字形をなし、取付板部５１，６１に、ビス等の雄螺子が挿通される挿通孔（５２ａ）と、ビス等の雄螺子が緊締される螺子孔とが設けられており、位置決板部５２，６２の先端部に、嵌入部３１の内面に接触する接触部５２ｂ，６２ｂが設けられている。
【００２８】
第１のブラケット５は、バックライト部１７の上下の一側、又は、横方向の一側に固定され、第２のブラケット６はバックライト部１７の上下の他側、又は、横方向の他側に表示面１ａに沿って第１のブラケット５と接離する方向へ移動を可能に取付けられている。また、第１及び第２のブラケット５，６は、特に深皿形をなすカバー体３の開放部で寸法のバラツキ、及び反りが生じ易い個所に対応して複数の周方向位置に設けてあるが、その他、上下の両側全長、横方向の両側全長に亘って設ける構成としてもよい。
【００２９】
キャビネット２は前側の保持枠体１２の前面を覆い、上部及び下部が長辺の環板部２１と、該環板部２１の外周縁に連なり、表示部１の周縁と対向する枠部２２とを有し、合成樹脂により一体に成形されている。環板部２１には、内周縁に連なる環状の内向凸部２１ａと、内周縁及び外周縁の間の中間部から後方へ延出され、螺子孔２１ｂを有する複数のボス２１ｃとが一体に成形されている。ボス２１ｃは複数の周方向位置に設けられている。また、環板部２１の内向凸部２１ａ及びボス２１ｃの間に帯部材２３が貼着されている。
【００３０】
カバー体３は電気部品及びバックライト部１７を覆う深皿形をなし、開放部３ａに、枠部２２の後部内側に嵌入される嵌入部３１が全周に亘って設けられている。嵌入部３１の周方向へ離隔した複数個所には接触部５２ａ，６２ａに接触する被接触部３１ａが設けられている。また、開放部３ａと蓋板部３ｂとの間の中間部には第１及び第２の位置決板部５２，６２に開設されている前記螺子孔２１ｂに対応する挿通孔が設けられている。
【００３１】
スタンド４は載置台等に載置されるベース部４１及び該ベース部４１に立設された二つの脚部４２，４２を有しており、脚部４２，４２の上部が表示部１の後側のシャーシ１７ａに取外しを可能に取着されている。
【００３２】
以上のように構成された表示装置は、表示部１の後側に取着されたスタンド４により、表示部１の起立状態が維持される。この表示部１の起立状態でキャビネット２を表示部１の前方から該表示部１の前側周縁部に嵌込む。この際、帯部材２３が保持枠１２に当接し、ボス２１ｃが位置決板部５２，６２に当接し、キャビネット２の表示部１に対する前後位置が決められ、また、位置決板部５２，６２の前記挿通孔にビス等の雄螺子８を挿通し、該雄螺子８をボス２１ｃの螺子孔２１ｂに緊締することにより、キャビネット２の表示部１に対する上下及び横方向位置が決められるとともに、キャビネット２が表示部１に固定される。
【００３３】
カバー体３を表示部１の後方から該表示部１の後側周縁部に嵌込む際、嵌入部３１の内面が第１及び第２の位置決板部５２，６２の接触部５２ａ，６２ａに接触し、該接触部５２ａ，６２ａにより案内されつつ嵌入部３１が枠部２２の内側に嵌入される。例えば、カバー体３の寸法のバラツキ、反り等により嵌入部３１が設定寸法より小さいとき、位置決板部５２，６２により嵌入部３１が外方へ撓みつつ枠部２２の内側へ嵌入され、また、嵌入部３１が設計寸法より大きいとき、枠部２２により嵌入部３１が内方へ撓みつつ枠部２２の内側へ嵌入される。
【００３４】
このように嵌入部３１の表示部１に対する位置を位置決板部５２，６２の接触部５２ａ，６２ａにより決めることができるため、比較的大形の表示装置でカバー体３の開放部３ａに寸法のバラツキ、及び反りが生じている場合においても嵌入部３１の表示部１に対する位置を適正位置に修正することができ、嵌入部３１の内方への復元力を位置決板部５２，６２により受止めることができる。従って、嵌入部３１の内方への復元力がキャビネット２に加わるのをなくすることができ、嵌入部３１によるキャビネット２の変形をなくすることができ、キャビネット２の内向凸部２１ａと表示面１ａとの間の隙間ａをキャビネット２の全周において適正にすることができる。
【００３５】
また、キャビネット２が表示部１に固定された際、キャビネット２の寸法のバラツキ、反り等により枠部２２と第１の位置決板部５２の接触部５２ａとの間の距離が適正で、枠部２２と第２の位置決板部６２の接触部６２ａとの間の距離が適正でないとき、雄螺子７の弛緩により第２のブラケット６を、第１のブラケット５との間の距離が長短となる方向へ移動させ、第２のブラケット６の固定位置を調整する。この調整により枠部２２と第２の位置決板部６２の接触部６２ａとの間の距離を適正に修正することができる。従って、キャビネット２及びカバー体３の寸法のバラツキ、反り等により第２の位置決板部６２側で嵌入部３１と枠部２２との間の隙間ａが広くなるのをなくすることができ、嵌入部３１と枠部２２との間の隙間をキャビネット２の全周において適正にすることができる。
【００３６】
尚、以上説明した実施の形態では、枠部２２の内側に嵌入する嵌入部３１をカバー体３の開放部３ａに有する構成としたが、その他、枠部２２の外側に嵌合する嵌合部をカバー体３の開放部３ａに有する構成としてもよい。
【００３７】
また、以上説明した実施の形態では、表示部１のシャーシ１７ａに位置決部材としての位置決板部５２，６２を設けたが、その他、位置決部材は例えば保持枠体１２又は１３に設けてもよい。
【００３８】
また、以上説明した実施の形態では、キャビネット及びカバー体を表示部に取付けるブラケット５，６，と一体に位置決部材としての位置決板部５２，６２を設けたが、その他、位置決部材（位置決板部５２，６２）はブラケット５，６と別個に設けてもよい。
【００３９】
また、キャビネット２及びカバー体３を表示部１に別個に取付ける構成としたが、その他、キャビネット２及びカバー体３を共通の雄螺子で表示部１に取付ける構成としてもよい。
【００４０】
また、本発明に係る表示装置は液晶テレビ等の液晶表示装置である他、プラズマ表示装置、ＥＬディスプレイ等の表示装置であってもよい。
【図面の簡単な説明】
【００４１】
【図１】本発明に係る表示装置の構成を示す正面図である。
【図２】本発明に係る表示装置の要部の構成を示す縦断側面図である。
【図３】本発明に係る表示装置の要部の構成を示す縦断側面図である。
【図４】本発明に係る表示装置のキャビネットの構成を示す後面図である。
【図５】本発明の出願人が開発した表示装置の一部の構成を示す断面図である。
【図６】本発明の出願人が開発した表示装着のキャビネットが変形している状態を示す断面図である。
【符号の説明】
【００４２】
１    表示部
１ａ  表示面
２    キャビネット
３    カバー体
３１  嵌入部（嵌合部）
５２，６２  位置決板部（位置決部材）
５２ａ，６２ａ  接触部
【図１】
2008139483.tif 000003
【図２】
2008139483.tif 000004
【図３】
2008139483.tif 000005
【図４】
2008139483.tif 000006
【図５】
2008139483.tif 000007
【図６】
2008139483.tif 000008